(57)【要約】      （修正有）【課題】建物の給水配管において、床等に確実に取り付けることができ、さらにポリエチレン製パイプと建物内配管とを接続する継手からの水漏れを低減する。【解決手段】給水管固定構造は、床から立上る給水管を床に固定する給水管固定構造であって、給水管部２と、給水管部の外周面に配置され、床又は床面より上に配置され、床面に面し、床に固定されている支持板５０の下面に接する第１固定部５と、給水管部の外周面に配置され、床又は支持板の上面に接する第２固定部７とを備える。また、第1固定部と第２固定部とが、床又は支持板を挟んだ状態で固定されることで、給水管部を床に固定する。【選択図】図３
2020070555.tif 000002
【特許請求の範囲】
【請求項１】
床から立上る給水管を前記床に固定する給水管固定構造であって、
給水管部と、
前記給水管部の外周面に配置され、床又は床面より上に配置され、前記床面に面し、前記床に固定されている支持板の下面に接する第１固定部と、
前記給水管部の前記外周面に配置され、前記床又は前記支持板の上面に接する第２固定部と、を備え、
前記第1固定部と前記第２固定部とが、前記床又は前記支持板を挟んだ状態で固定されることで、前記給水管部を床に固定する給水管固定構造。
【請求項２】
前記給水管部は、さらに、前記給水管部と一体に形成されたバルブ部を備えている請求項１に記載の給水管固定構造。
【発明の詳細な説明】
【技術分野】
【０００１】
本発明は、給水管を床に固定する給水管固定構造に関するものである。
【背景技術】
【０００２】
新築マンションでは、コンクリート躯体が打ちあがり次第、或いは木造、戸建、及び建売住宅ではコンクリート基礎ができ上がり次第、木工或いは大工さんが仕事に掛る前に水道工事が始められる。
【０００３】
木造、戸建、及び建売住宅の建築における水道工事では、一般に給水用のポリエチレン（ＰＥＰ）製パイプ（ポリパイプ）を床下に転がし配置する。例えば、特許文献１に記載されているように、建物の床板が張られると、床板に貫通穴を設け、当該貫通穴内又は貫通穴近傍に設けた継手（ジョイント）を介して、床下に配置したポリエチレン（ＰＥＰ）製パイプと、流し台、洗面化粧台、便器等の器具に接続された配管とが接続される。図４は、木造、戸建、及び建売住宅等の建築において行われる水道工事の施工例を示している。図４を参照すると、まず、配管されたポリエチレン（ＰＥＰ）製パイプを床上に引きあげ、ポリエチレン（ＰＥＰ）製パイプを水栓ソケツト（継手）に差し入れ、接続してから床上に戻す。３本の木ネジを使い、水栓ソケツト（継手）を床に固定後、水栓ソケット（継手）にテストプラグを取り付ける。次に水圧テストを行い、水漏れ等の問題がないか確認する。その後、建築の最終段階として流し台、洗面台、便器等の器具を据え付けてから、配管の水抜きをした後、テストプラグを外し、図４に示したメツキ長二ツプル配管の両端にシールテープを巻き付け、メツキ長二ツプル配管の一端にストレートアングルバルブをねじ込み取り付けると共に、他端を水栓ソケツト（継手）へねじ込み取り付ける。
【０００４】
その後、再度、水漏れ確認のための通水テストを行う。このとき、例えば、メツキ長二ツプル配管と水栓ソケツトとの接続部で水漏れ等の不具合が生じる場合がある。このような接続部での水漏れの原因の一つとして、水栓ソケツト（継手）のネジ部とメツキ長二ツプル配管のネジ部との摩擦係数が違いすぎるため、メツキ長二ツプル配管に巻いたシールテープが滑って切れたり千切れたりしてしまうことが考えられる。このように、ポリエチレン（ＰＥＰ）製パイプと流し台、洗面台、便器等の器具とを接続する一連の作業には、熟練を要し、メツキ長二ツプル配管と水栓ソケツト（継手）との接続部等での水漏れを防止することが困難な状況となっている。また、メツキ長二ツプル配管と水栓ソケツト（継手）との接続部等での水漏れは、当初は微量であるため、配管接続後の水圧テストあるいは通水テストでは見つかりにくく、目視での確認検査が必要となっている。
【０００５】
一方、新築マンションでは、木床の仕上がりが２４ｃｍ程度しかなく配管工が床下にもぐり作業ができない。そこで新築マンションにおける水道工事では、例えばコンクリート製の床の上に、給水用のポリエチレン製パイプを転がし配置し、さらに当該床の床面上に支持板を配置し、支持板に設けられた貫通穴内又は貫通穴近傍に、継手（ジョイント）を設ける。床の上に配置したポリエチレン製パイプと、流し台、洗面化粧台、便器等の器具に接続された配管とが、支持板の貫通穴内に設けられた継手（ジョイント）を介して接続される。新築マンションにおける水道工事においても、木造住宅と同様に、支持板上で、例えば水栓ソケツト（継手）及びメツキ長二ツプル配管を介して、ポリエチレン製パイプと、流し台、洗面化粧台、便器等の器具とが接続される。この場合、メツキ長二ツプル配管と水栓ソケツト（継手）との接続部等で水漏れが生る場合がある。
【先行技術文献】
【特許文献】
【０００６】
【特許文献１】特開２００１―２４１４１７号公報
【発明の概要】
【発明が解決しようとする課題】
【０００７】
上記の通水テストの作業は手数の掛る作業の一つである。また、通水テストの作業後、建築の進行に合わせ、部品の取り付け、或いは器具の取り付け等の作業と器具への配管作業を行うが、このとき、水抜き、水張り、及び水圧テストを繰り返し行う必要がある。
【０００８】
また、ポリエチレン製パイプと流し台、洗面化粧台、便器等の器具に接続するための配管を接続する継手（ジョイント）部で水漏れ等の不具合が生じる場合がある。
【０００９】
求められていることは、新築マンションや木造、戸建、建売住宅に用いられる給水配管において、床等に確実に取り付けることができ、従来用いられてきたポリエチレン製パイプと流し台、洗面化粧台、便器等の器具に接続するための配管を接続する継手からの水漏れを低減可能な給水管固定構造を提供することである。
【課題を解決するための手段】
【００１０】
本発明に係る給水管固定構造は、床から立上る給水管を前記床に固定する給水管固定構造であって、給水管部と、前記給水管部の外周面に配置され、床又は床面より上に配置され、前記床面に面し、前記床に固定されている支持板の下面に接する第１固定部と、前記給水管部の前記外周面に配置され、前記床又は前記支持板の上面に接する第２固定部とを備え、前記第1固定部と前記第２固定部とが、前記床又は前記支持板を挟んだ状態で固定されることで、前記給水管部を床に固定する。
【００１１】
また、前記給水管部は、さらに、前記給水管部と一体に形成されたバルブ部を備えていてもよい。
【発明の効果】
【００１２】
本発明の給水管固定構造を用いることにより、給水管を床又は床面上に配置された支持板に確実に固定することができる。また、床又は支持板に設けられた給水管を通すための貫通穴内又は貫通穴近傍に継手を設けずに、床下又は支持板の下に配置されたポリエチレン製パイプと流し台、洗面化粧台、便器等の器具に接続するための配管とを給水管固定構造を用いて接続できるため、継手部での水漏れを大幅に低減することができる。
【図面の簡単な説明】
【００１３】
【図１】図１は、本実施形態１における給水管固定構造の側面図を概略的に示す図面である。
【図２】図２は、実施形態２における給水管固定構造を用いて、給水管部を木造住宅の床板に取り付けた状態を示す図面である。給水用パイプは、床下に転がし配置されており、本実施形態の給水管固定構造の給水管部に接続される。
【図３】図３は、実施形態３における給水管固定構造を用いて、給水管部を支持板に取り付けた状態を示す図面である。支持板は、床面より上に配置され、床に固定されている。給水用パイプは、床の上に転がし配置されており、本実施形態の給水管固定構造の給水管部に接続される。
【図４】図４は、従来の給水管の配管を説明するための図面である。
【発明を実施するための形態】
【００１４】
引き続いて、添付図面を参照しながら、本発明の給水管固定構造に係る実施の形態を説明する。可能な場合には、同一の部分には同一の符号を付する。
【００１５】
以下、本発明の実施形態について図面を用いて説明する。
【００１６】
（実施形態１）
図１は、本発明の実施形態１における給水管固定構造の側面図を概略的に示す図面である。給水管固定構造１は、給水管部２と、第１固定部５と、第２固定部７とから構成されている。給水管部２は、中空のパイプ構造４を有し、パイプ構造４の途中には、給水を制御するためのボールバルブ部３が設けられている。本実施形態のボールバルブ部３は、本発明におけるバルブ部である。ボールバルブ部３は、給水管部２に組み込まれて給水管部２と一体に形成されることができる。また、第１固定部５は、給水管部２の外周面に、給水管部２と一体に形成されている。第１固定部５の厚みは、約３ｍｍ程度である。第１固定部５の上方には、第２固定部７を取り付けるためのネジ溝が形成されたネジ部９が、給水管部２の外周部に設けられている。第２固定部７の厚みは、例えば、約５ｍｍ〜１０ｍｍ程度である。給水管部２は、例えば、砲金などの銅と錫の合金から成ることができる。第２固定部７は、孔部の内側にネジ溝を有する雌ねじ構造８を有し、当該雌ねじ構造８が、給水管部２に形成されたネジ部９に勘合できるように形成されている。第２固定部７は、例えば、真鍮製の６角ナットであることができる。給水管部２の長さは、約１００ｍｍ〜３００ｍｍ程度であることができる。本実施形態では、１２０ｍｍ長及び２２０ｍｍ長の給水管部２を用いた。また、給水管部２の外径は、約３０ｍｍ（直径）程度であることができる。中空のパイプ構造４の内径は、約１０ｍｍ（直径）程度である。
【００１７】
また、給水管部２の下部の内側には、例えば床下に転がし配置されたポリエチレン製パイプを、継手３０（所謂、アダプター継手）を用いて給水管部２に接続するためのネジ溝１７が設けられている。また、給水管部２の上部には、流し台、洗面化粧台、便器等の器具への配管をねじ込んで取り付けるためのネジ溝１５が設けられている。
【００１８】
また、給水管部２を床又は床面より上に配置された支持板に固定する際に、第１固定部５或いは第２固定部７が回転するのを防止したり、或いは床や支持板の表面に傷をつけないようにするために、第１固定部５と床や支持板との間或いは第２固定部７と床や支持板との間には、ワッシャー（座金）を挿入することができる。
【００１９】
（実施形態２）
図２は、本実施形態における給水管固定構造１を木造住宅の床板に取り付けた状態を示す図面である。給水用パイプ４０は、床下に転がし配置されている。給水用パイプ４０として、例えばポリエチレン（ＰＥＰ）製パイプ（ポリパイプ）を用いることができる。吸水用パイプ４０は、例えば継手３０を用いて、給水管部２に接続固定される。具体的には、給水用パイプ４０の先端を継手３０に差し込み固定し、その後継手３０のネジ部に例えばシールテープを巻いて給水管部２の下部に設けられたネジ溝１７に勘合し、ねじ込んで締め付けることで、吸水用パイプ４０を、給水管部２に接続固定することができる。
【００２０】
本実施形態では、給水管部２の第１固定部５及び第２固定部７で床板６０を挟み込むようにして、給水管部２が床板６０に固定されている。給水管部２の第１固定部５と床板６０の下面との間、及び給水管部２の第２固定部７と床板６０の上面との間には、それぞれ第1ワッシャー１０及び第２ワッシャー１２が挿入されている。
【００２１】
また、給水管部２の床板上面に露出した外周部には、レンチ等で給水管部２を押さえるための凹部（図示せず）を設けてもよい。給水管部２の第２固定部７を給水管部２のネジ部９に勘合して締め付ける際に、この給水管部２の外周部に設けられた凹部をレンチ等で挟み込んで押さえ、給水管部２が回転するのを防止することができる。
【００２２】
次に、給水管部２を床板６０に設置する方法について説明する。まず、床下に配管されたポリエチレン（ＰＥＰ）製の給水用パイプ４０の先端は、継手３０を用いて、給水管部２に接続固定される。具体的には、給水用パイプ４０の先端を継手３０に差し込み固定し、その後継手３０のネジ部に例えばシールテープを巻いて給水管部２の下部に設けられたネジ溝１７に勘合し、ねじ込んで締め付けることで、吸水用パイプ４０を、給水管部２に接続固定することができる。給水管部２を、継手３０を介して、給水用パイプ４０に取り付け固定した後、その状態で給水管部２を床下に転がしておく。その後、床板６０が張れ次第、床板６０の上から給水管部２の取り付け用の穴（貫通穴）を床板６０に設け、床下にもぐり、転がしておいた給水管部２を床板６０に設けた貫通穴に差し入れ、床上に引きあげる。このとき、給水管部２の第１固定部５と床板６０との間には、あらかじめ第１ワッシャー１０を挿入しておく。床上から、第２ワッシャー１２を給水管部２に通し、その後第２固定部７の孔部を給水管部２に通して、給水管部２の外周部に設けられたネジ部９に第２固定部７の孔部の内側に設けられた雌ねじ構造８を勘合する。第２固定部７を回転させて締め付けることで、第１固定部５の上面と第２固定部７の下面とで床板６０を挟み込み、給水管部２を床板６０に固定することができる。
【００２３】
本実施形態の給水管固定構造１では、木造戸建、又は建売住宅の建築の際に、まず、ポリエチレン（ＰＥＰ）製の給水用パイプ４０の先端に給水管部２を、継手３０を用いて取り付け、床下に転がし配置しておく。給水管部２は、流し台、洗面化粧台、便器等の器具の数に応じて複数個、分岐した給水用パイプ４０の先端に取り付けられるようにしてもよい。この給水用パイプ４０の配管終了と同時に、建物外にある水道メーターの近傍に用意された工事用水栓に分岐栓を取り付け、給水用パイプ４０の一端に接続されて、仮つなぎされる。この状態で、給水用パイプ４０に給水し、給水管部２のボールバルブ部３を開閉することにより、配管内のエアー抜きを行うと共に、給水用パイプ４０内に水を充填する。このとき、給水用パイプ４０と給水管部２との接続部における水漏れの有無を検査する通水検査も同時に行うことができる。この結果、従来行われてきた、水漏れを検知するためのテストポンプを用いた水圧検査の必要がなくなるため、継ぎ手の接続毎に繰り返し行っていた水圧検査の回数を大幅に低減することができる。また、従来の水圧検査では、壁板や床板を張った後に、建物内部で行われていたが、本実施形態の給水管固定構造１では、建物の基礎工事が終了次第、給水用パイプ４０の配管と配管後の通水検査が行われるため、配管状況を全部見渡せ、目視による点検確認が、容易に行うことができる。
【００２４】
また、本実施形態の給水管固定構造１では、通水検査の際の水抜き、及び水張りは、給水管部２に組み込まれたボールバルブ部３を、例えばボールバルブ用プラスチツクハンドル２０又はドライバーを用いて開閉することができる。通水検査の際に、給水管部２の先端（ネジ部１５）に、例えばステンレス製のフレキシブルパイプをＵ字状に曲げて仮取り付け後、ボールバルブ部３を開閉することにより、予め用意したバケツの中に１人でスムースに素早く水跳ねもなくエアー抜き及び水張りを行うこともでき、通水検査の作業も軽減できると共に、作業時間を大幅に短縮することができる。
【００２５】
建築現場も完成間際になると、流し台、洗面台、便器等の器具を据え付け、これらの器具を据え付けた後、最初の通水テストの要領で、最後の作業としての工事期間に水張りテストされていた汚れた水を吐出し、新鮮な水が出ることを確認後、流し台、洗面台、便器等の器具の各水栓金具に接続された自在ホースの先を、給水管部２の先端に差し込み接続する。具体的には、自在ホースの先端に組み込まれている袋ナットに、ゴムパッキンを入れ、袋ナットを、給水管部２のネジ溝１５に嵌合し締め付けて、自在ホースを給水管部２に接続し固定する。その後、各水栓器具の通水テストを行い、配管工事が完了する。
【００２６】
（実施形態３）
図３は、本発明の実施形態における給水管固定構造１を支持板に取り付けた状態を示す図面である。支持板５０は、例えば新築マンションにおける水道工事等において、コンクリート製の床７０の床面上に、配置されて床７０に固定されている。給水用のポリエチレン製パイプは、床面上に配置されており（図示せず）、支持板５０に取り付けられた給水管部２の下部に接続される。本実施形態では、複数の給水管部２が支持板５０に取り付けられている。本実施形態では、給水管固定構造１（給水管部２）を支持板５０に取り付けて設置されるが、その他の構成については、給水管固定構造１を木造住宅の床板に取り付けた場合と同じであり、同様の効果を得ることができる。
【００２７】
図３を参照すると、複数の給水管部２が支持板５０に固定されている。給水用パイプ４０が、例えばコンクリート製床７０の床上に転がし配置されている。給水用パイプ４０の先端は、継手（アダプター継手）３０を用いて、給水管部２に接続固定される。具体的には、給水用パイプ４０の先端を継手３０に差し込み固定した後、継手３０のネジ部に例えばシールテープを巻いて給水管部２の下部に設けられたネジ溝１７に勘合し、ねじ込んで締め付けることで、吸水用パイプ４０を、給水管部２に接続固定することができる。給水用パイプ４０は、複数個設けられることができ、これに対応して給水管部２も複数個設けられる。複数の給水管部２を、１個の支持板５０に固定することができる。また、複数の給水管部２を１セットとして、セットごとに複数の支持板５０に分けて固定することもできる。
【００２８】
本実施形態では、給水管部２の第１固定部５及び第２固定部７で支持板を挟み込むようにして、給水管部２が支持板５０に固定されている。給水管部２の第１固定部５と床板の下面との間、及び給水管部２の第２固定部７と床板の上面との間には、それぞれ第1ワッシャー１０及び第２ワッシャー１２が挿入されている。
【００２９】
また、給水管部２の支持板上面に露出した外周部には、レンチ等で給水管部２を押さえるための凹部（図示せず）を設けてもよい。給水管部２の第２固定部７を給水管部２のネジ部９に勘合して締め付ける際に、この給水管部２の外周部に設けられた凹部をレンチ等で挟み込んで押さえ、給水管部２が回転するのを防止することができる。
【００３０】
或いは、支持板５０に設けた貫通穴の断面形状が、一部に直線部を有するように加工するとともに、給水管部２のネジ部９の一部を支持板の貫通穴の断面形状と整合するように削り加工するようにしてもよい。これにより、給水管部２を支持板５０の貫通穴の形状に合わせて挿入することで、給水管部２のネジ部９に第２固定部７を勘合し締め付けた際に、給水管部２が貫通穴に嵌め合うようにすることで、給水管部２が回転するのを防止することができる。
【００３１】
次に、給水管部２を支持板に設置する方法について説明する。マンション等の建築では、建物のコンクリート躯体が打ちあがり次第、ポリエチレン（ＰＥＰ）製の給水用パイプ４０が、床上に転がし配置される。本実施形態では、給水用パイプ４０は、流し台、洗面化粧台、便器等の器具の数に応じて複数の給水用パイプに分岐されており。分岐した給水用パイプのそれぞれが、給水管に接続されるように構成されている。まず、給水用パイプ４０に給水管部２を接続する前に、あらかじめ給水管部２の取り付け用の複数の穴（貫通穴）が設けられた支持板５０を用意する。給水管部２を支持板の貫通穴にそれぞれ差し入れて、給水管部２の外周部に設けられたネジ部９に第２固定部７の孔部の内側に設けられた雌ねじ構造８を勘合し、第２固定部７を回転させて締め付け固定する。このようにして第１固定部５の上面と第２固定部７の下面とで支持板５０を挟み込み、給水管部２を支持板に固定することができる。給水管部２の第１固定部５と支持板５０との間、及び給水管部２の第２固定部７と支持板５０との間には、それぞれ第１ワッシャー１０及び第２ワッシャー１２が挿入されていてもよい。支持板５０に固定された給水管部２に、継手３０を用いて給水用パイプ４０を接続し、その後支持板５０をコンクリート製床に固定する。
【００３２】
また、給水管部２は、実施形態２で説明した給水管部２を床板に設置する方法と同様の方法を用いて、支持板５０に取り付けることもできる。具体的には、まず、床上に配置された給水用パイプ４０に継手３０を用いて給水管部２を接続し、このままの状態で床上に転がしておく。支持板５０をコンクリート製床に固定し、転がしておいた給水管部２を支持板に設けた貫通穴に差し入れ、支持板の上面より上に引きあげる。その後第２固定部７の孔部を給水管部２に通して、給水管部２の外周部に設けられたネジ部９に第２固定部７の雌ねじ構造８を勘合し、第２固定部７を回転させて締め付ける。これにより第１固定部５の上面と第２固定部７の下面とで支持板５０を挟み込み、給水管部２を支持板５０に固定するようにしてもよい。給水管部２の第１固定部５と支持板５０との間、及び給水管部２の第２固定部７と支持板５０との間には、それぞれ第１ワッシャー１０及び第２ワッシャー１２が挿入されていてもよい。
【００３３】
本実施形態の給水管固定構造１では、まず、上記で説明したように給水管部２の第１固定部５の上面と第２固定部７の下面とで支持板５０を挟み込むようにして、給水管部２を支持板５０に固定する。次に、継手３０を用いて、あらかじめ床上に転がしてあったポリエチレン（ＰＥＰ）製の給水用パイプ４０を接続する。新築マンション等の水道工事では、この給水用パイプ４０の転がし配管が終了次第、給水用パイプ４０の通水テストを、テストポンプを用いて行うことができる。例えば、給水用パイプ４０の一端にテストポンプを接続して、給水用パイプ４０に給水し、給水管部２のボールバルブ部３を開閉することにより、配管内のエアー抜きを行うと共に、給水用パイプ４０内に水を充填する。このとき、給水用パイプ４０と給水管部２との接続部における水漏れの有無を検査する通水検査も同時に行うことができる。この結果、継ぎ手の接続毎に繰り返し行っていた水圧検査が１回で完了することができるため、水圧検査の回数を大幅に低減することができる。また、従来の水圧検査では、壁板や支持板を張った後に、建物内部で行われていたが、本実施形態の給水管固定構造１を有する給水管では、建物のコンクリート躯体が打ちあがり次第、コンクリート製床の床上に給水用パイプ４０の配管と配管後の通水検査が行われるため、配管状況を全部見渡せ、目視による点検確認が、容易に行うことができる。通水検査が完了後、給水用パイプ４０が接続された状態で、給水管部２が固定されている支持板５０をコンクリート製床に固定する。
【００３４】
また、本実施形態の給水管固定構造１を有する給水管では、通水検査の際の水抜き、及び水張りは、給水管部２に組み込まれたボールバルブ部３を、例えばボールバルブ用プラスチツクハンドル２０又はドライバーを用いて開閉することができる。通水検査の際に、給水管部２の先端（ネジ部１５）に、例えばステンレス製のフレキシブルパイプをＵ字状に曲げて仮取り付け後、ボールバルブ部３を開閉することにより、予め用意したバケツの中に１人でスムースに素早く水跳ねもなくエアー抜き及び水張りを行うこともでき、通水検査の作業も軽減できると共に、作業時間を大幅に短縮することができる。
【００３５】
建築現場も完成間際になると、実施形態２で説明したと同様に、流し台、洗面台、便器等の器具を据え付け、これらの器具を据え付けた後、最初の通水テストの要領で、最後の作業としての工事期間に水張りテストされていた汚れた水を吐出し、新鮮な水が出ることを確認後、流し台、洗面台、便器等の器具の各水栓金具に接続された自在ホースの先を、給水管部２の先端に差し込み接続する。具体的には、自在ホースの先端に組み込まれている袋ナットに、ゴムパッキンを入れ、袋ナットを、給水管部２のネジ溝１５に嵌合し締め付けて、自在ホースを給水管部２に接続し固定する。その後、各水栓器具の通水テストを行い、配管工事が完了する。
【００３６】
上記の説明では、給水用パイプ４０が接続された状態で、給水管部２が固定されている支持板５０をコンクリート製床に固定する方法について説明したが、まず支持板５０をコンクリート製床に固定した後、給水用パイプ４０を給水管部２に接続し、その後、給水管部２を支持板５０に固定してもよい。或いは、支持板５０をコンクリート製床に固定した後、給水管部２を支持板５０に固定し、その後、給水用パイプ４０を給水管部２に接続するようにしてもよい。
【００３７】
また、上記の説明では、給水用パイプ４０の先端が、継手（アダプター継手）３０を用いて給水管部２に接続固定される。しかし、給水管部２の下部を、給水用パイプ４０の先端に接続されるアダプターが直接勘合又は着脱可能な構造に、あらかじめ加工しておくこともできる。これにより、継手３０が不要となり、コストの削減にも寄与することができる。
【００３８】
本実施形態の給水管固定構造１を有する給水管は、以下のような機能を有します。つまり、
（１）工事期間は、  本実施形態の給水管固定構造１を有する給水管をテストバルブとして用いることができる。
（２）工事終了後は、本実施形態の給水管固定構造１を有する給水管を各水栓器具の故障時の止水栓としても、利用することができる。
また、本実施形態の給水管固定構造１を有する給水管を利用することにより、継手からの水漏れも大幅になくすことができる。また、通水検査等の回数を大幅に減少させることができるため、工事期間の大幅な短縮も可能である。
【００３９】
また、本実施形態の給水管固定構造１を有する給水管を用いることにより、最初の通水検査の後、建物完成間際の流し台、洗面化粧台、便器等の器具の据え付け等の作業が終わるまで、水抜き、水張り、水圧テストを１度も行う必要がない。
【００４０】
好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【符号の説明】
【００４１】
１    給水管固定構造
２    給水管部
３    ボールバルブ部
４    給水管内面
５    第１固定部
７    第２固定部
１０  第１ワッシャー
１２  第２ワッシャー
１５  雄ネジ部
１７  雌ネジ部
２０  ボールバルブ用プラスチツクハンドル
３０  継手（アダプター継手）
４０、１００  給水用パイプ
５０  支持板
６０、１１２  床板
７０  コンクリート製床
１１０  メッキ長ニップル
１１１  座付ビニール継手
１１３  金属カバー
１１４  バルブ        
【図１】
2020070555.tif 000003
【図２】
2020070555.tif 000004
【図３】
2020070555.tif 000005
【図４】
2020070555.tif 000006